(57)【要約】【課題】  一文字幕や袖幕を一体化して床部分以外の場所、たとえば上方に容易に収納することができる一文字幕および袖幕の収納構造を提供する。【解決手段】  使用時に舞台の最前列に配置される一文字幕１６と、この一文字幕１６の後方に配置される袖幕１７とを不使用時に舞台の上方に吊り上げる一文字幕１６および袖幕１７の収納構造であって、舞台の上方から繰り出しまたは巻取り可能に吊り下げられて下端にバトン連結具１９を保持する牽引索２０と、この牽引索２０の上記バトン連結具１９の上方に固定されると共に舞台の最前列側に向かって突出した取付部２１aを有する取付部材２１と、この取付部２１aに上端を取付けた一文字幕１６と、バトン連結具１９に上端を取付けた袖幕１７と、一方を取付部材２１に固定し、他方をバトン連結具１９に固定することで、不使用時に、一文字幕１６および袖幕１７を夫々折畳んだ状態で一体的に収納する袋部材２２とからなる。【選択図】  図１
2010263995.tif 000002
【特許請求の範囲】
【請求項１】
使用時に舞台の最前列に配置される一文字幕と、この一文字幕の後方に配置される袖幕とを不使用時に舞台の上方に吊り上げる一文字幕および袖幕の収納構造であって、舞台の上方から繰り出しまたは巻取り可能に吊り下げられて下端にバトン連結具を保持する牽引索と、この牽引索の上記のバトン連結具の上方に固定されると共に舞台側に向かって突出した取付部を有する取付部材と、この取付部材に上端を取り付けた上記の一文字幕と、上記のバトン連結具に上端を取り付けた上記の袖幕と、一方を上記の取付部材に固定すると共に他方を上記のバトン連結具に固定することで不使用時に一文字幕および袖幕を夫々折畳んだ状態で一体的に収納する袋部材とからなることを特徴とする一文字幕および袖幕の収納構造。
【請求項２】
上記のバトン連結具が上記の牽引索の下端が連結された連結部と、この連結部の下部に固定された袖側バトンを挟持する挟持部と、この挟持部の下部に設けられたブラケットと、このブラケットに取り付けられると共に内部に上記の袖幕の上端を固定したランナーが配置されたレール部材とからなる請求項１に記載の一文字幕および袖幕の収納構造。
【請求項３】
上記の取付部材が側面略台形状に形成されると共に舞台側となる上底部に一文字側バトンが取付けられており、この一文字側バトンに上記の一文字幕の上端が固定されていなる請求項１に記載の一文字幕および袖幕の収納構造。
【請求項４】
上記の袋部材が長方形状をなす布材であって、上記の一方および他方となる布材の端部にはちち紐が所定間隔をおいて複数設けられてなる請求項１に記載の一文字幕および袖幕の収納構造。
【発明の詳細な説明】
【技術分野】
【０００１】
この発明は、一文字幕および袖幕の収納構造に関し、特に、不使用時の一文字幕および袖幕を舞台の上方に吊り上げて収納する収納構造の改良に関する。
【背景技術】
【０００２】
劇場等の舞台で使用される一文字幕および袖幕を含む一般的な幕類の収納構造としては、たとえば、特許文献１に開示のものがあり、この特許文献１に開示の収納構造は、図５に示すように、舞台１の上方の天井には電動ジャッキ５（４箇所）が固定され、該電動ジャッキ５の回転ネジ部材５ａに幕を吊り下げるフレーム６が取り付けられ、ネジ部材５ａが回転することでこのフレーム６が昇降するようになっている。
【０００３】
一方、舞台１の幕は、前方から順に一文字幕７，左右の袖幕８，緞帳９，中幕１０およびバック幕１１から構成されており、上記の一文字幕７の上端は、天井に直接取り付けられ、上下方向の中間位置において水平にフレーム６の前端に取り付けられ、床２が上昇したときには、その箇所に折り返しＡができている。
【０００４】
それに対して、袖幕８、緞帳９，中幕１０及びバック幕１１は、いずれも両開きの幕であり、それぞれフレーム６の下面に設けられたレールに走行自在に吊り下げられており、図６は、フレーム６の平面視構造と、各幕の吊り下げ位置を示す（図６の矢印７乃至１１は、それぞれ一文字幕７，袖幕８,緞帳９,中幕１０及びバック幕１１の吊り下げ位置を示す）。
【０００５】
また、袖幕８，緞帳９及び中幕１０のレールは、湾曲して両サイド後方に延びているので、袖幕８，緞帳９及び中幕１０を必要に応じて上記レールに沿って走らせ（矢印で示す）、両サイド後方の仮想線で囲った収納場所１２に集めることができ、さらに、必要に応じてバック幕１１も両サイドに収納しても良く、さらには、袖幕８，緞帳９及び中幕１０の全てを一方の収納場所１２に集めるようにしてもよい。
【先行技術文献】
【特許文献】
【０００６】
【特許文献１】特開平９‐２０３２２８公報（明細書中の段落０００７，同０００８，図１，図２参照）
【発明の概要】
【発明が解決しようとする課題】
【０００７】
このように構成された幕類の収納構造においては、特に問題がある訳ではないが、以下に示す課題が発生する場合がある。
【０００８】
すなわち、上記舞台１が劇場等の多目的ホールに設けられる場合には、上記した幕類、たとえば、一文字幕７や袖幕８を上記多目的ホールの床２部分以外の場所に収納することができれば、上記ホール自体を他の目的に使用し易くなる。
【０００９】
そこで、上記多目的ホールでは、これらの幕類を、床２部分以外の場所に収納できる構造を採用したいと言う要望がある。
【００１０】
ところが、上記した構成では、一文字幕７は、電動ジャッキ５を作動させることで、ある程度、上方へ収納させることができるが、上記袖幕８は、緞帳９および中幕１０とともに上記レールに沿った床２部分の両サイドにしか収納させることができない。
【００１１】
にもかかわらず、上記要望を解決できる提案がなされていないのが現状で、この発明の目的は、上記一文字幕や袖幕を一体化して床部分以外の場所、たとえば舞台の上方に容易に収納することができる一文字幕および袖幕の収納構造を提供することである。
【課題を解決するための手段】
【００１２】
上記の目的を達成するため、この発明は、使用時に舞台の最前列に配置される一文字幕と、この一文字幕の後方に配置される袖幕とを、不使用時に舞台の上方に吊り上げる一文字幕および袖幕の収納構造であって、舞台の上方から繰り出しまたは巻取り可能に吊り下げられて下端にバトン連結具を保持する牽引索と、この牽引索の上記のバトン連結具の上方に固定されると共に上記の舞台の最前列側に向かって突出した取付部を有する取付部材と、この取付部に上端を取り付けた上記の一文字幕と、上記のバトン連結具に上端を取り付けた袖幕と、一方を上記の取付部材に固定すると共に他方を上記のバトン連結具に固定することで不使用時に一文字幕および袖幕を夫々折畳んだ状態で一体的に収納する袋部材とからなるとする。
【発明の効果】
【００１３】
この発明によれば、不使用時に袋部材の一方を上記取付部材に固定し、他方を上記バトン連結具に固定することで、一文字幕および袖幕を折畳んだ状態で一体的に上記袋部材内に収納できるので、この状態で牽引索を巻き取れば、これら一文字幕および袖幕を容易に舞台の上方へ収納することができる。
【００１４】
したがって、この収納構造を多目的ホール等に使用すれば、床部分を有効利用することができるので、舞台以外の他の目的に大変使用し易い。
【図面の簡単な説明】
【００１５】
【図１】この発明を具体化した実施の形態を示し、一文字幕と袖幕とが袋部材によって一体的に収納されている不使用状態を示す側面図である。
【図２】図１において、一文字幕と袖幕との使用状態を示す側面図である。
【図３】図１における一文字幕と袖幕との使用状態を模式的に示す正面図である。
【図４】袋部材を示す正面図である。
【図５】従来技術の舞台を示す一部切欠斜視図である。
【図６】図５において、幕を吊り下げるフレームの平面図である。
【発明を実施するための形態】
【００１６】
以下に、図示した実施形態に基づいて、この発明を説明するが、この発明による一文字幕および袖幕の収納構造は、図示するところにあって、多目的ホールの舞台に使用する一文字幕および袖幕の収納構造に具体化されてなる。
【００１７】
すなわち、図示する一文字幕および袖幕の収納構造は、使用時に舞台の最前列に配置される一文字幕（図中に符号１６で示す）と、この一文字幕の後方に配置される袖幕（図中に符号１７で示す）とを不使用時に舞台の上方に吊り上げる。
【００１８】
そして、この収納構造は、図１に示すように、舞台の上方から繰り出しまたは巻取り可能に吊り下げられて下端にバトン連結具１９を保持する牽引索２０と、この牽引索２０のバトン連結具１９の上方に固定されると共に舞台の最前列側に向かって突出した取付部を有する取付部材２１と、この取付部に上端を取り付けた一文字幕１６と、上記のバトン連結具１９に上端を取り付けた袖幕１７と、一方を上記取付部材２１に固定すると共に他方をバトン連結具１９に固定することで不使用時に一文字幕１６および袖幕１７を夫々折畳んだ状態で一体的に収納する袋部材２２とを有してなる。
【００１９】
以下に、さらに詳述すると、取付部材２１は、側面略台形状に形成されると共に、その下底部２１ｂにおいて、牽引索２０に対してボルト２３およびナット２４止めによって固定されている。
【００２０】
また、取付部材２１の取付部としての上底部２１ａには一文字側バトン２６がＵ字状の固定具２５によって固定されると共に、この一文字側バトン２６に一文字幕１６の上端が図示しない固定手段によって固定されている。
【００２１】
バトン連結具１９は、牽引索２０の下端が連結された連結部１９ａと、この連結部１９ａの下部に固定されて袖側バトン３０を挟持する挟持部１９ｂと、この挟持部１９ｂの下部に一体的に設けられたブラケット２７と、このブラケット２７に取付けられるとともに、内部に袖幕１７の上端を固定したランナー２８が配置されたレール部材２９とから構成されている。
【００２２】
挟持部１９ｂは、ネジ部１９ｃを回動操作することで上下方向へ作動する挟持片１９ｄを備え、この挟持片１９ｄと、この挟持部１９ｂの上部下面とで袖側バトン３０を挟持固定するようになっている。
【００２３】
レール部材２９は、下方が開放された四角枠状に形成されるとともに、下端を内側に向かって折曲形成することで左右一対のレール部２９ａが形成されている。
【００２４】
ランナー２８は、レール部２９ａの上面側となるレール面上を回動する回動輪２８ａを両側に備えた本体２８ｂと、この本体２８ｂの下部から下方に向かって延設されるとともに、先端に取付リング２８ｃを備えた延設部２８ｄとから構成され、取付リング２８ｃを介して袖幕１７の上端が図示しない固定手段によって固定されている。
【００２５】
なお、一文字幕１６は、その下端に裾パイプ１６ａが袋仕立てによって固定されており、袖幕１７の下端には図示しない袖チェーンが取り外し可能に取付けられている。
【００２６】
袋部材２２は、図４に示すように、長方形状をなす布材であって、一方および他方となる布材の端部（図４における上下部を言う）にはちち紐３１が所定間隔をおいて複数設けられている。
【００２７】
したがって、一方のちち紐３１を取付部材２１の上底部２１ａに固定し、他方のちち紐３１をバトン連結具１９に固定することで袋形状とすることができるので、一文字幕１６および袖幕１７の不使用時には、図１に示すように、この中に一文字幕１６および袖幕１７を折畳んだ状態で配置することで、一体的に収納できるようになっている（ただし、図１にはちち紐３１は図示されていない）。
【００２８】
上記のように構成されたこの実施形態における作用を説明すると、図２に示すような使用状態の一文字幕１６および袖幕１７を、不使用状態として収納するには、図示しない駆動手段によって牽引索２０を繰り出し、一文字幕１６および袖幕１７を舞台の床面上に下降させるとともに、この下降位置となる床面上には袋部材２２を予め載置しておく。
【００２９】
次いで、この袋部材２２の上面に載置された一文字幕１６および袖幕１７を図１に示すように折畳むと共に、袋部材２２の一方を取付部材２１に固定し、他方をバトン連結具に１９固定する。
【００３０】
こうすれば、袋部材２２が内部に一文字幕１６および袖幕１７を一体的に収納した状態の袋形状となるので、このまま、牽引索２０を巻き取れば、これら一文字幕１６および袖幕１７が舞台の上方へ収納される。
【００３１】
以上、詳述したように、この実施形態によれば、不使用時に袋部材２２の一方を取付部材３２に固定し、他方をバトン連結具１９に固定することで、一文字幕１６および袖幕１７を折畳んだ状態で一体的に袋部材２２内に収納できるので、この状態で牽引索２０を巻き取れば、これら一文字幕１６および袖幕１７を容易に舞台の上方へ収納することができる。
【００３２】
したがって、この収納構造を多目的ホール等に使用すれば、床部分を有効利用することができるので、舞台以外の他の目的に大変使用し易い。
【００３３】
また、袋部材２２の一方および他方に設けたちち紐３１を、取付部材２１およびバトン連結具１９に固定するだけの簡単な作業で一文字幕１６および袖幕１７を一体的に収納できるので、大変作業効率が良い。
【００３４】
なお、この実施形態では、袋部材２２の取付部材２１およびバトン連結具１９に対する取付構造としてちち紐３１を用いたが、この構造に限定されるものではなく、フック等の任意の固定構造を採用することができる。
【００３５】
また、袋部材２２は、不使用時にのみ取付部材２１およびバトン連結具１９に固定したが、たとえば、袋部材２２の幅が一文字幕１６の長さよりも短い場合には、一文字幕１６の裏側となる取付部材２１に袋部材２２の一方側のみを固定しておいても良く、こうすれば、使用時に袋部材２２を別の場所に収納しておく必要がないので、作業効率が良い。
【産業上の利用可能性】
【００３６】
多目的ホールの舞台に使用する一文字幕および袖幕の収納構造への具現化に向く。
【符号の説明】
【００３７】
１６  一文字幕
１７  袖幕
１９  バトン連結具
１９ａ  連結部
１９ｂ  挟持部
２０  牽引索
２１  取付部材
２１ａ  上底部（取付部）
２２  袋部材
２６  一文字側バトン
２７  ブラケット
２８  ランナー角部
２９  レール部材
３０  袖側バトン
３１  ちち紐
【図１】
2010263995.tif 000003
【図２】
2010263995.tif 000004
【図３】
2010263995.tif 000005
【図４】
2010263995.tif 000006
【図５】
2010263995.tif 000007
【図６】
2010263995.tif 000008